(57)【要約】  本発明は、いずれの場合も少なくとも、ハウジング（１０１）およびハウジング（１０１）内に設けられたポンプモータ（１０３）と、電力を貯蔵するための充電式電圧源またはポンプモータ（１０３）に電圧を供給するための蓄電池（１０５）と、さらなるポンプ部を磁気的に結合するため、および／または構成要素、特に磁気的に駆動されるポンプロータ（３０１）を磁気的に駆動するための磁性部（１０７）と、電子コントローラ（１１１）とを少なくとも備える医療用ポンプドライブ（１００）に関する。本発明はさらに、ポンプ（４０５）、誘導充電ステーション（６００）、チューブセット（４０３０）、血液処理装置（１０００）、および方法に関する。【選択図】図３
2020534958.tif 000002
【特許請求の範囲】
【請求項１】
医療用ポンプドライブであって、少なくとも、
・１つのポンプハウジングおよび前記ハウジング内に設けられた１つのポンプモータと、
・電気エネルギーを貯蔵するための１つの充電式電圧源、または前記ポンプモータの電源のための１つの充電式バッテリと、
・構成要素、特に磁気的に駆動されるポンプロータの構成要素を磁気的に結合および／または磁気的に駆動するための１つの磁性部と、
・１つの制御電子機器と
を各々少なくとも有する、医療用ポンプドライブ。
【請求項２】
前記電圧源または前記充電式バッテリを充電するための誘導コイルを有する、請求項１に記載のポンプドライブ。
【請求項３】
前記ポンプハウジングは、
・前記ポンプドライブをベース面上に配置するためのベース部と、
・前記ポンプドライブをポンプ部に接続するための接続部と、前記ポンプ部はポンプロータを備え、
を備え、
前記ベース部および前記接続部は、前記ハウジングの対向する端部上に位置するか、または前記端部に関連付けられる、請求項１〜２のいずれか一項に記載のポンプドライブ。
【請求項４】
特にリングとして、特にＬＥＤまたはＬＥＤカラーリングとして設計され、および／または特に前記ポンプハウジング内または前記ポンプハウジングに具現化された、特に色付きの点灯デバイスを有する、請求項１〜３のいずれか一項に記載のポンプドライブ。
【請求項５】
前記制御電子機器は、ワイヤレスモジュールを備えるか、またはそれに接続される、請求項１〜４のいずれか一項に記載のポンプドライブ。
【請求項６】
前記制御電子機器は、モーションセンサを備えるか、またはそれに接続される、請求項１〜５のいずれか一項に記載のポンプドライブ。
【請求項７】
前記制御電子機器は、前記点灯デバイスを使用して、１つまたは複数の色で、例えば赤から黄色そして緑への色の変化として、進行中の充電進行をシグナリングするように構成されている、請求項１〜６のいずれか一項に記載のポンプドライブ。
【請求項８】
前記制御電子機器は、前記電圧源または前記充電式バッテリの充電が完了したときまたは完了した後に、前記点灯デバイスをスイッチオフするように構成されている、請求項１〜７のいずれか一項に記載のポンプドライブ。
【請求項９】
前記制御電子機器は、前記モーションセンサを介して前記ポンプドライブの移動を検出すると、前記制御電子機器の第１の状態から第２の状態に変化するように構成されている、請求項１〜８のいずれか一項に記載のポンプドライブ。
【請求項１０】
前記制御電子機器は、特に前記モーションセンサを介して前記ポンプドライブの移動を検出すると、前記ポンプドライブの前記磁性部を起動する、例えばそれを前記第２の状態に移すように構成されている、請求項１〜９のいずれか一項に記載のポンプドライブ。
【請求項１１】
前記制御電子機器は、特に前記モーションセンサを介して前記ポンプドライブの移動を検出すると、特に前記点灯デバイスを介して、前記充電状態を表示するように構成されている、請求項１〜１０のいずれか一項に記載のポンプドライブ。
【請求項１２】
前記制御電子機器は、特に、例えばホールセンサを介して、ポンプロータを有するポンプ部を検出すると、またはポンプロータを検出すると、特に、前記点灯デバイスを介して、例えば青色の、例えば長手方向軸周りを回転する発光で、現在または実際の回転を表示することによって、特に所定の速度で、前記ポンプドライブの前記磁性部を回転させるように構成されている、請求項１〜１１のいずれか一項に記載のポンプドライブ。
【請求項１３】
前記制御電子機器は、特に低電力のモーションセンサを介して前記ポンプドライブの移動を検出し、アクティブ状態に変化するように構成されている、請求項１〜１２のいずれか一項に記載のポンプドライブ。
【請求項１４】
前記制御電子機器は、特に、その一部が前記ポンプドライブであるポンプを流れる液流の乾燥または枯渇を検出すると、好ましくは、前記ポンプによってポンピングされる液体と、重力または他の理由により前記ポンプに流れ戻る液体とのバランスを確立する速度まで、最大速度または事前設定速度を低減するように構成されている、請求項１〜１３のいずれか一項に記載のポンプドライブ。
【請求項１５】
前記制御電子機器は、前記ポンプドライブの移動についての通知を外部デバイスに送信するように構成されている、請求項１〜１４のいずれか一項に記載のポンプドライブ。
【請求項１６】
請求項１〜１５のいずれか一項に記載のポンプドライブを有し、ポンプロータを備える少なくとも１つのポンプ部を有するポンプであって、前記ポンプ部は、チューブセットおよび／または使い捨て品の一部である、ポンプ。
【請求項１７】
前記ポンプロータを有する前記ポンプ部は、前記ポンプ部を、ハウジング部または血液処理装置の別の部分に、特に後者のフット領域において、取り外し可能に固定するためのデバイスを備える、請求項１６に記載のポンプ。
【請求項１８】
前記デバイスは、ラッチデバイスまたはクリップデバイスであるか、またはそれを備える、請求項１７に記載のポンプ。
【請求項１９】
前記ポンプは、任意選択の磁石接続を除いて、前記ポンプドライブを、ポンプロータを担持する前記ポンプ部に接続するためのデバイスを備えない、請求項１６〜１８のいずれか一項に記載のポンプ。
【請求項２０】
充電式バッテリを充電するための誘導充電ステーションであって、前記誘導充電ステーションは、請求項１〜１５のいずれか一項に記載の前記ポンプドライブを前記誘導充電ステーション上に配置することまたはその配置を検出するように構成された制御電子機器を備え、誘導を介して前記ポンプドライブの前記充電式バッテリを充電するように設計および構成されている、誘導充電ステーション。
【請求項２１】
請求項１〜１５のいずれか一項に記載のポンプドライブおよび／または請求項１６〜１９のいずれか一項に記載のポンプを備えるセットであって、請求項２０に記載の誘導充電ステーション、および／または前記制御電子機器ならびに／もしくは前記充電式バッテリの信号、状態、機能、および／または設定を受信および表示するために前記ワイヤレスモジュールを通して前記制御電子機器と信号通信するように構成された外部デバイスをさらに備える、セット。
【請求項２２】
前記ポンプロータを担持する少なくとも１つのポンプ部を備えるチューブセットであって、前記ポンプ部は、特に請求項１〜１５のいずれか一項に記載のポンプドライブに機能的に接続されるか、またはそれと一緒にされるように設けられ、前記ポンプ部は、任意選択の磁石接続および／または重力を除いて、前記ポンプ部を前記ポンプドライブに接続するためのデバイスを備えない、チューブセット。
【請求項２３】
請求項１６〜１９のいずれか一項に記載のポンプ、請求項２１に記載のセット、および／または請求項２２に記載のチューブセットを備えるか、もしくはそれらにそれぞれ接続された、医療用処理装置、特に血液処理装置。
【請求項２４】
請求項１〜２３のいずれか一項に記載の前記ポンプドライブの前記充電式バッテリを充電するための方法であって、
・前記誘導充電コイルが関連付けられた前記端部が下向きになるように、前記ポンプドライブを回転させることまたは向けることと、
・誘導充電ステーションのベース面上に、少なくとも上下方向も備える運動で、前記ポンプドライブを配置することまたは置くことと
を行うステップを有する、方法。
【請求項２５】
請求項１〜２４のいずれか一項に記載のポンプドライブを、ポンプロータを有するポンプ部と一緒にするための方法であって、
・前記磁性部を備える前記端部が下向きになるように、前記ポンプドライブを回転させることまたは向けることと、
・少なくとも上下方向も備える運動で、ポンプロータを備える前記ポンプ部上に前記ポンプドライブを配置することまたは取り付けることと
を行うステップを包含する、方法。
【発明の詳細な説明】
【技術分野】
【０００１】
本発明は、請求項１に記載の医療用ポンプドライブ、請求項１６に記載のポンプ、請求項２０に記載の誘導充電ステーション、および請求項２１に記載のそのセットに関する。本発明はさらに、請求項２２に記載のチューブセット、請求項２３に記載の医療用処理装置（短く、処理装置ともいう）、さらに請求項２４に記載の充電式バッテリを充電するための方法、および請求項２５に記載のポンプの２つの部分を組み立てるための方法を包含する。
【背景技術】
【０００２】
体外血液処理は、先行技術で知られている。ここで、血液が患者から引き出され、体外で血液回路またはチューブセットに沿って、そして透析治療の例では例えば血液フィルタを通して導かれる。血液フィルタは、血液が送り込まれる血液チャンバと、透析液体が導かれる透析液体チャンバとを備える。両方のチャンバは、半透膜によって互いに分離されている。血液および透析液体は大部分が、向流原理によって血液フィルタを通してガイドされる。血液は血液フィルタで洗浄される。血液フィルタを出ると、以後透析液と称される透析液体は、使用済みとみなされ、廃棄される。透析液に加えて、廃棄される流体は、血液フィルタにおいて血液から引き出された水分を備える濾液も備える。濾液および透析液は、個々でもまとめても、以下では単純に排液と称される。
【０００３】
排液は、先行技術では、排液入口ラインを介して排液バッグに導かれ、最初にそこに溜められる。血液処理の完了後に、または血液処理中のバッグを空にする間隔（バッグが空にされる間隔）において、排液は、排液バッグから、当該バッグが保持される保持容器（basin）またはシンクへと廃棄される。
【発明の概要】
【０００４】
本発明の目的は、血液処理中に使用するための排液バッグを空にするためのポンプドライブを特定することである。
【０００５】
さらに、ポンプ、ポンプドライブ用の誘導充電ステーション、セット、および特に血液処理装置であり得る医療用処理装置が特定される。
【０００６】
さらに、ポンプドライブの充電式バッテリを充電するための方法および本発明によるポンプドライブを、ポンプロータを備えるポンプ部に接続するための方法が特定される。
【０００７】
本発明の目的は、請求項１に記載の特徴を有する医療用ポンプドライブによって達成される。さらに、本目的は、請求項１６に記載のポンプ、請求項２０に記載の誘導充電ステーション、および請求項２１に記載のそのセットによって達成される。請求項２２に記載のチューブセット、請求項２３に記載の処理装置、また請求項２４に記載の充電式バッテリを充電するための方法、および請求項２５に記載のポンプの２つの部分を一緒にするための方法が、本発明の目的を達成するためにさらに含まれる。
【０００８】
本発明による方法を用いて達成可能な利点のすべてが、本発明によるある特定の実施形態において本発明によるデバイスを用いても充分に達成され得る。
【０００９】
本発明は、少なくともハウジングと、ハウジング内に設けられたポンプモータとを備える医療用ポンプドライブに関する。ポンプドライブはさらに、電気エネルギーを貯蔵するための充電式電圧源（rechargeable voltage source）、または充電式バッテリを備える。それらはポンプモータに電圧を供給するのに役立つ。
【００１０】
さらに、ポンプドライブは、例えば鉄心を有するコイルとして設計された磁性部を有するように設計される。これは、構成要素、特に磁気的に駆動されるポンプロータの構成要素を磁気的に結合および／または磁気的に駆動するために使用される。ドライブは、好ましくは非接触である。
【００１１】
最後に、ポンプドライブは、その制御または閉／開ループ制御のための制御電子機器を備える。
【００１２】
ポンプドライブのすべての構成要素、特に上述された構成要素は、任意選択で、すべて一緒にハウジング内に含まれるかまたは一体化され得る。したがって、いくつかの実施形態では、それらはハウジングを共有し得る。いくつかの実施形態では、ポンプドライブは、その構成要素をポンプドライブの外部から分離するちょうど１つのハウジングを有する。
【００１３】
本発明はさらに、ポンプに関する。それは、本発明によるポンプドライブと、次にポンプロータを備える少なくとも１つのポンプ部とを備える。ポンプロータを有するポンプ部は、好ましくは、チューブセットおよび／または使い捨て品の一部である。
【００１４】
本発明はさらに、ポンプドライブの充電式バッテリを充電するための誘導充電ステーションに関する。誘導充電ステーションは、任意選択で、誘導充電ステーション上へのポンプドライブの配置を検出し、充電式バッテリを充電するように構成された制御電子機器をもつ。
【００１５】
本発明はセットに関する。本セットは、少なくとも本発明によるポンプドライブおよび／または本発明によるポンプを包含する。さらに、本セットは、本発明による誘導充電ステーションおよび／または外部デバイスを備える。誘導充電ステーションおよび／または外部デバイスは、制御電子機器および／または充電式バッテリの信号、状態、機能、および／または設定を受信および表示することができるように、ワイヤレスモジュールを介してポンプドライブの制御電子機器と信号通信するように構成される。
【００１６】
誘導充電ステーションは、ポンプドライブのためのプラットフォームまたはベース面であり得るか、またはそれを備え得る。
【００１７】
本発明は、ポンプロータを有する少なくとも１つのポンプ部を備えるチューブセット、特に医療用チューブセットに関する。ポンプ部は、ポンプドライブ、特に本発明によるポンプドライブに動作的に接続されるか、またはそれと一緒にされるように設けられる。ポンプ部および任意選択でチューブセットの他のすべての部分は、任意選択の磁気接続および／または重力の使用を除いて、ポンプ部をポンプドライブに接続するためのいずれのデバイスも備えない。
【００１８】
本発明は、本発明によるポンプ、本発明によるチューブセット、および／または本発明によるセットを備える、またはそれらに接続された処理装置に関する。本処理装置は、血液処理装置であり得る。代替的には、血液処理より他の患者ケアで使用され得る。これは、分析、治療、診断、または処理のために使用され得る。
【００１９】
処理装置は、血液処理装置として具現化される場合、血液ポンプを備え得る。患者の治療中、血液ポンプは、体外血液回路の部分を通して、血液フィルタまたは透析器に向かって血液を搬送する。血液は、血液フィルタまたは透析器から遠ざかり、体外血液回路の部分を通って患者に戻される。静脈血チャンバおよび気泡トラップならびに圧力センサは、体外血液回路および／または血液処理装置の一部であり得る。
【００２０】
本発明は、ポンプドライブの充電式バッテリを充電する方法に関する。当該方法は、誘導充電コイルが関連付けられた端部が下向きになるように、ポンプドライブを（例えば、手の中で、空中で等）回転させるかまたは向けることを包含する。本方法はさらに、このようにして向けられたポンプドライブを、誘導充電ステーション、特に本発明による誘導充電ステーションのベース面上に、少なくとも上下方向も備える運動で配置または取り付けることを包含する。
【００２１】
本発明は、磁性部を備える端部またはそれに関連付けられた端部がその中で下向きになるように、（例えば、手の中で、空中で等）ポンプドライブを任意選択で回転させるまたは向けることを通して、ポンプロータを備えるポンプ部とポンプドライブを一緒にするための方法に関する。本方法はさらに、このようにして向けられたポンプドライブを、少なくとも上下方向も備える運動で、ポンプロータを備えるポンプ部上に配置または取り付けることを包含する。この方法は、完全なおよび／または機能ポンプをもたらす。
【００２２】
組み立ては、ポンプドライブとポンプ部とを連結して、またはポンプドライブをポンプ部上に置いて、それらが一緒に、機能ポンプをもたらすこととして理解され得る。
【００２３】
本発明による実施形態は、当業者が特定の組合せを技術的に不可能と認識しない限り、本明細書に記載の特徴のうちの一部、いくつか、または全部を任意の組合せで備え得る。本発明の有利な展開の各々はまた、従属請求項の主題でもある。
【００２４】
以下の実装形態のすべてにおいて、「〜であり得る」または「〜を有し得る」等の表現の使用は、それぞれ、「好ましくは〜である」または「好ましくは〜を有する」等と同義に理解されるべきであり、本発明による実施形態を例示することを意図している。
【００２５】
本明細書で数値を表す語が言及されるときはいつでも、当業者はそれらを数値の下限値の表示として認識または理解するべきである。それが当業者を明らかな矛盾に導かない限り、当業者は、例えば「１つ」という指定が「少なくとも１つ」を包含すると理解するであろう。この理解はまた、当業者にとって明らかに技術的に可能であるときはいつでも、数値を表す語、例えば「１つ」が代替的に「ちょうど１つ」を意味し得るという解釈として、本開示によって同等に包含される。両方が本発明によって包含され、本明細書では使用されるすべての数値を表す語に適用される。
【００２６】
本明細書で一実施形態が言及されるときはいつでも、それは本発明による例示的な一実施形態である。
【００２７】
「プログラミングされた」または「構成された」が本明細書で言及されるときはいつでも、これらの用語は交換可能であることが開示される。
【００２８】
「上部」または「下部」などの空間的指示が本明細書で言及されるときはいつでも、当業者は、それを、付随する図面および／または使用状態における配置として理解する。「下部」は、「上部」よりも地球の中心または図の下端に近い。
【００２９】
好適性または方法ステップが本明細書で言及されるときはいつでも、本発明は、好適なデバイスまたはその部分の対応するプログラミングまたは構成も包含する。
【００３０】
いくつかの実施形態では、ポンプは、ポンプドライブと、次にチューブに接続されたポンプ部とからなる。これらのチューブは、ポンプによって備えられ得る。いくつかの実施形態では、それらはポンプによって備えられない。
【００３１】
いくつかの実施形態では、ポンプドライブは、電圧源または充電式バッテリを充電するための誘導充電コイルを備える。
【００３２】
いくつかの実施形態では、ハウジングは、ベース面上にポンプドライブを置くためのベース部を備える。
【００３３】
いくつかの実施形態では、ハウジングは、特に機能的に、ポンプロータを含むポンプ部にポンプドライブを接続するための接続部を備える。ここで、接続部は、空洞、１つまたはいくつかの開口部、１つまたは複数の止まり開口部（blind opening）などであり得る。後者は、好ましくは、例えば接続部に突出部を単純に挿入または差し込むことによって、ポンプ部の突出部を受容することのみに役立ち得る。したがって、接続部は挿入部であり得る。
【００３４】
いくつかの実施形態では、ベース部および接続部は、ハウジングの対向する端部に位置するか、またはそこに関連付けられる。
【００３５】
いくつかの実施形態では、ポンプドライブは、少なくとも１つの、特に色付きの点灯デバイスを備える。これは、リングとして、特にＬＥＤまたはＬＥＤカラーリング（color ring）として設計され得る。
【００３６】
点灯デバイスは、特にハウジング内またはハウジングに配置され得る。
【００３７】
いくつかの実施形態では、ポンプドライブの制御電子機器は、ワイヤレスモジュールを伴って構成されるかまたはそれに接続される。
【００３８】
いくつかの実施形態では、制御電子機器は、１つまたはいくつかの外部デバイスによって受信される、または受信され得る信号を、必要な場合は同時に送り、制御電子機器の機能および／または設定、もしくはポンプまたは充電式バッテリの状態または機能について表示または知らせるように設計、プログラミング、および／または構成される。
【００３９】
いくつかの実施形態では、外部デバイスは、スマートフォンまたは別のハンドセットもしくはモバイルデバイスである。
【００４０】
ワイヤレスモジュールは、コンピュータまたは制御電子機器を、インターフェース（例えば、ＰＣＩ、ＵＳＢ、ＰＣＭＣＩＡ、ＰＣカード）を介してワイヤレスネットワーク（ＷＬＡＮ）に接続することを可能にするコンピュータハードウェアであり得る。
【００４１】
いくつかの実施形態では、制御電子機器は、少なくとも１つのモーションセンサを伴って構成されるか、またはそれに接続される。このモーションセンサは、適宜プログラミングされた制御電子機器がそれによって位置または移動方向を決定することを可能にするために、一体化または接続され得る。
【００４２】
いくつかの実施形態では、制御電子機器は、進行中のバッテリ充電状態をシグナリングするように、または実際の充電プロセスを１つまたは複数の色で、例えば赤から黄色そして緑への色の変化として表示するように構成される。
【００４３】
いくつかの実施形態では、制御電子機器は、充電式バッテリの充電状態を、質的または量的に、例えば、「フル」、「空」、例えば「９０％」などのパーセント、「使用可能」、「使用準備中」等として、表示するように構成される。この通知は、例えば、表示ごとおよび／またはワイヤレスモジュールを介した送信ごとに、外部デバイス上で実行され得る。
【００４４】
いくつかの実施形態では、制御電子機器は、完全充電時またはその後、もしくは電圧源または充電式バッテリの所定のレベルの充電が達成されたときまたはその後に、点灯デバイスをスイッチオフするように構成される。
【００４５】
いくつかの実施形態では、制御電子機器は、モーションセンサを介してポンプドライブの移動を検出すると、制御電子機器またはポンプドライブの第１の状態から第２の状態に変化するように構成される。
【００４６】
第１の状態は、スリープモード、非アクティブモード、および／または（第２の状態でのエネルギー消費または平均電力消費と比較して）より低い電力消費の状態であり得る。第１の状態では、例えばポンプドライブの磁性部のための、磁気軸受を駆動するためのベアリング電流は、ゼロであり得る。
【００４７】
第２の状態は、アクティブモード、アウェイクモード、および／または（第１の状態での電力消費または平均電力消費と比較して）より高い電力消費の状態であり得る。第２の状態では、例えばポンプドライブの磁性部の磁気軸受は、電圧が供給され、電力を消費し得る。
【００４８】
モーションセンサを介してポンプドライブの移動を検出することは、空間内のポンプドライブの移動を検出することに向けられ得る。
【００４９】
したがって、モーションセンサまたは後続の制御電子機器は、ポンプドライブが、誘導充電ステーションまたは別の場所から取られて手に保持されることなどによって移動されたことを示すように設計および／または構成され得る。
【００５０】
同時に、ポンプドライブが誘導充電ステーションから取り外され、回転され、ポンプロータを有するポンプ部上に上下方向を備える移動で逆さまに置かれたことが、モーションセンサによって任意選択で検出され得る。これは、ポンプの一部としてのポンプドライブの使用中の表示として理解され得、任意選択で、第１の状態から第２の状態への遷移を自動的に引き起こすか、またはもたらし得る。
【００５１】
ポンプドライブの上下運動方向は、任意選択で他の運動も同様に、運動シーケンスとして記憶され得る。ポンプは、この移動を検出したら、例えば記憶された運動シーケンスの終了時に、ポンピングを開始するように構成され得る。この運動シーケンスおよび他の運動シーケンスは、参照データベースに記憶され得る。
【００５２】
ポンプドライブの実際の移動に関連付けられた他の機能も記憶されており、実際の移動を検出すると、制御電子機器によって開始、停止、実行等され得る。
【００５３】
また、使用者がポンプドライブを手に持っている間に行われるジェスチャと同様であり、モーションセンサによって登録され得る所定または特定の移動は、本発明によるそれらの実施に包含される。制御電子機器は、本明細書に記載の移動の各々を認識または識別するように、ならびにさらなる移動のために、適宜構成され得る。
【００５４】
いくつかの実施形態では、第２の状態での充電状態は、点灯デバイスによって示される。
【００５５】
いくつかの実施形態では、運動を検出することは、第２の状態で示される。
【００５６】
いくつかの実施形態では、点灯デバイスは、第１の状態において、第２の状態とは別の光を発する。
【００５７】
いくつかの実施形態では、ポンプはポンプドライブからなり、ここにおいて、制御電子機器は、特にモーションセンサを介してポンプドライブの移動を検出すると、ポンプドライブの磁性部を起動し、および／またはそれにベアリング電圧もしくはベアリング電流を供給するように、もしくは任意選択で、第２の状態に変化し、ポンプドライブおよび／または磁性部に電圧または電流を供給するように構成される。
【００５８】
いくつかの実施形態では、ポンプドライブの制御電子機器は、点灯デバイスを介して充電状態を表示するように構成される。
【００５９】
いくつかの実施形態では、制御電子機器は、制御電子機器がモーションセンサを介してポンプドライブの移動を検出した場合にのみ、充電状態を表示するように構成される。
【００６０】
いくつかの実施形態では、制御電子機器は、特に、例えばホールセンサを介して、ポンプロータを有するポンプ部を検出すると、またはポンプロータを検出すると、例えば第２の状態で、特に所定の速度まで、ポンプドライブの磁性部を回転させるとともに、特に、点灯デバイスを介して進行中の回転を、例えば循環発光によって、例えば青色で表示するように構成される。
【００６１】
いくつかの実施形態では、制御電子機器は、特に低電力のモーションセンサを介してポンプドライブの移動を検出し、第２の状態またはアクティブ状態に変化するように構成される。
【００６２】
いくつかの実施形態では、ポンプドライブの制御電子機器は、特に、本発明によるポンプを流れる液流の乾燥、減少、または枯渇を検出すると、最大速度または事前設定速度を低減するように構成される。好ましくは、速度は、一方ではポンプを介してポンピングされる液体と、他方では重力または他の理由によりポンプに流入する液体との間にバランスが確立されるように低減される。
【００６３】
いくつかの実施形態では、制御電子機器は、センサによって、および／または駆動電流もしくはベアリング電流の変化に基づいて、液流の乾燥、減少、または枯渇を検出するように構成される。制御された電磁石を介して軸受力および回転を発生させるために磁気軸受または磁気駆動から必要とされるまたは取り出される電源の電流は、ベアリング電流と呼ばれる。
【００６４】
これに関連する利点は、液体が、正しいポンピング方向に逆らって、すなわちポンプの出口から入口の方向にポンプを流れることを防止するための逆止弁が必要ないということであり得る。
【００６５】
いくつかの実施形態では、ポンプドライブの制御電子機器は、ポンプドライブの移動の通知を外部デバイスに送信するように構成される。
【００６６】
いくつかの実施形態では、好ましい電気定格は、２５〜４０ワット（Ｗ）の間、特に３０〜３５Ｗの間、最も好ましくは３２Ｗである。
【００６７】
いくつかの実施形態では、ポンプの電気ドライブの駆動電圧は２４（ボルト）Ｖである。
【００６８】
いくつかの実施形態では、ポンプ部は、ポンプ部をハウジング部に、または処理装置、特に血液処理装置の別の部分に、取り外し可能に固定するためのデバイスを備え、特にこのデバイスのフット領域（foot area）において取り外し可能に固定する。
【００６９】
いくつかの実施形態では、ポンプ部を取り外し可能に固定するためのデバイスは、クランプデバイスまたはラッチもしくはクリップデバイスであるか、またはそれを備える。
【００７０】
いくつかの実施形態では、任意選択でクランプデバイスまたはラッチもしくはクリップデバイスである、ポンプ部を取り外し可能に固定するためのデバイスは、湾曲コースまたはプロファイルを有する。
【００７１】
湾曲コースは、その長さに沿って湾曲した半チャネル（semi-channel）の形状を有し得る。
【００７２】
いくつかの実施形態では、ポンプは、それによりポンプドライブがポンプ部上に載る重力の使用および／または任意選択の磁気接続を除いて、ポンプロータを備えるポンプ部にポンプドライブを接続するためのデバイスを有しない。
【００７３】
いくつかの実施形態では、ポンプドライブ、ポンプ部、および／またはポンプの別の構成要素は、いずれの場合も、機能ポンプを得るためにポンプドライブがその上に置かれるポンプ部のベース面を除いて、ポンプドライブをポンプ部に接続するための機械的接続デバイスを備えない。
【００７４】
ポンプドライブとポンプ部とを接続するための接続デバイスは、クリップ接続、スナップイン接続、ねじ止め接続、または別の形状嵌合および／もしくは圧力嵌め接続であり得る。いくつかの実施形態では、接続デバイスは、突出部の挿入のための空洞または開口部だけでなくてもよい。いくつかの実施形態では、接続デバイスは、本明細書に記載の接続部ではない。いくつかの実施形態では、接続部は、例えば、ラッチタング、弾性クリックもしくはクリップ部、ねじ部、または同様のものなどの、ポンプ部上にポンプドライブを保持もしくは保つための可動要素、および／またはそれに対応する構造、例えば、初めに記載された構造を受容もしくは保つための、ラッチラグ、ねじ部、クリックもしくはクリップカウンタ部、または同様のものを備えない。
【００７５】
これで達成可能な利点は、ポンプドライブをいつでも（ポンピングプロセス中でも）簡単に引き離すまたは持ち上げることができるということであり得る。特に、これは、特に機械的接続デバイスがこれらの実施形態では設けられていないので、これらのデバイスを事前に開放する必要がないときに、片手で行うことができる。
【００７６】
いくつかの実施形態では、液体入口または流体入口を有するポンプ部は、排液バッグからポンプに通じるチューブ部に接続される。
【００７７】
いくつかの実施形態では、液体出口または流体出口を有するポンプ部は、排液を廃棄するための出口、ドレンシンク、または保持容器に通じるチューブ部に接続される。
【００７８】
いくつかの実施形態では、ポンプロータは、磁気軸受を有し、および／または磁気的に駆動される。このタイプの磁気軸受または駆動は、患者を感電から保護するのに役立ち得る。
【００７９】
ポンプロータの磁性部は、永久磁石であり得る。
【００８０】
いくつかの実施形態では、ポンプロータは、インペラーポンプヘッドである。
【００８１】
いくつかの実施形態では、ポンプドライブは、処理装置、特に血液処理装置の固定部分ではない。それにもかかわらず、それは、好ましくは処理装置へのケーブル接続および／または信号導体接続なしに、処理装置に取り外し可能に接続可能であり得るか、または接続され得る。
【００８２】
いくつかの実施形態では、ポンプドライブを動作させることは手動で開始および／または停止される。
【００８３】
ある特定の実施形態では、血液処理装置は、血液透析装置、血液濾過装置、または血液透析濾過装置として、特に長期腎代替療法または持続的腎代替療法（ＣＲＲＴ）のための装置として設計されている。
【００８４】
いくつかの実施形態では、本発明による処理装置は、ポンプのポンプドライブの充電式バッテリのための誘導充電ステーションを備える。充電式バッテリは、低電圧源または低電流源であり得る。
【００８５】
いくつかの実施形態では、ポンプドライブの充電式バッテリの貯蔵容量は、８００ｍＡｈ〜１８００ｍＡｈの間、好ましくは１０００ｍＡｈ〜１５００ｍＡｈの間、最も好ましくは約またはちょうど１１００ｍＡｈである。
【００８６】
いくつかの実施形態では、ポンプ部の流体入口は、チューブを介して排液バッグと流体連通している。
【００８７】
いくつかの実施形態では、切替えデバイスを切り替えるための処理装置の制御デバイスまたは閉ループ制御デバイスは、排液バッグが排液入口ラインに接続されるときもあり排液出口ラインに接続されるときもあるように構成またはプログラミングされていない。
【００８８】
いくつかの実施形態では、処理装置の制御電子機器は、排液出口ラインを有するチューブセットに一体化された、切替えデバイス、例えば多方向バルブデバイスの切替えを示すそれぞれの信号に応じて、ポンプを自動的に始動または停止するように構成される。
【００８９】
さらに、本明細書に開示される医療用ポンプドライブに加えて、本発明による医療用ポンプドライブについての本明細書に開示される特徴の任意の組合せを備えるポンプドライブが、本発明によって提案される。しかしながら、これらの実施形態では、本発明によるポンプドライブは、例えば、患者ケア、細胞治療などに使用される医療用ポンプドライブではなく、医療分野または医療用流体の搬送以外での使用のために提供される。そのような分野は、バイオプロセス、化粧品、紙、または食品の生産、薬品製造などを包含し得る。そのような分野は、機械工学、特に家庭用または台所用器具の分野も含み得る。このことは、ポンプドライブを使用して組み立てられるポンプにも適用される。
【００９０】
さらに、本発明では、本明細書に開示される医療用処理装置に加えて、本発明による医療用処理装置についての本明細書に開示される特徴の任意の組合せを備える装置が提供される。しかしながら、これらの実施形態では、本発明による装置は、例えば、患者ケア、細胞治療などに使用される医療用処理装置ではなく、医療分野または医療用流体の搬送以外での使用のために提供される。そのような分野は、バイオプロセス、化粧品、紙、または食品の生産、薬品製造などを包含し得る。そのような分野は、機械工学、特に家庭用または台所用器具の分野も含み得る。
【００９１】
さらに、少なくとも１つのロケーション表示センサ（例えばＧＰＳ）、および／または本明細書に開示されるモーションセンサの特徴の任意の組合せを備えるモーションセンサを有するモニタリングデバイスも本発明によって提案される。これらの実施形態では、モーションセンサは、本発明によるポンプドライブの一部ではなく、モニタリングに役立ち得る任意の他のデバイスの一部であり得る。
【００９２】
そのようなモニタリングデバイスは、細胞処理、消毒、すすぎ、非経口栄養などのための装置のような処理装置、特に、血液処理装置、より具体的には、血液透析装置、血液濾過装置、または血液透析濾過装置、特に、長期腎代替療法または持続的腎代替療法（ＣＲＲＴ）のための装置などの、任意のデバイスに取り外し可能に接続され得るか、または接続可能であり得る。
【００９３】
いくつかの実施形態では、そのようなモニタリングデバイスは、それに接続されたデバイスの制御または閉／開ループ制御と信号通信していない。特に、この目的のために必要とされる構成はない。
【００９４】
いくつかの実施形態では、そのようなモニタリングデバイスは、本明細書で規定されるように、少なくとも１つの外部デバイスと信号通信する。モニタリングデバイスおよび／または外部デバイスは、例えば処理装置のようなモニタリングデバイスによってモニタリングされるデバイスに関する結果について、好ましくは自動的に、使用者に知らせるように構成される。そのような結果は、デバイスの振動、衝突、その状態（「デバイスが動かないでいるか／静止しているか、または動いているか」）、そのロケーション（「デバイスが位置している場所」）などを含み得る。
【００９５】
いくつかの実施形態では、そのようなモニタリングデバイスは、処理装置に取り外し可能に接続される。接続は、磁石デバイス、クランプデバイス、ホルダ、ラッチデバイスなどによって確立され得る。それらに対応するデバイスが提供され得る。
【００９６】
いくつかの実施形態では、電圧源は、ポンプドライブのハウジング内に設けられる。
【００９７】
いくつかの実施形態では、ポンプはピストンポンプではない。
【００９８】
いくつかの実施形態では、ポンプまたはポンプドライブは、ハウジング内で軸方向に振動するように配置されたピストンを有しない。
【００９９】
いくつかの実施形態では、ポンプは逆止弁を有しない。
【０１００】
いくつかの実施形態では、ポンプドライブは、ポンピングされる流体がハウジング入口とハウジング出口との間を灌流するように設計されていない。
【０１０１】
本発明による一部または全部の実施形態は、上記および／または以下の利点のうちの１つ、いくつか、またはすべてを含み得る。
【０１０２】
本発明の利点は、充電式バッテリによって駆動されるポンプの使用が、通電に起因する危険を患者にもたらさないということである。
【０１０３】
本発明のさらなる利点は、本発明によるポンプまたはその制御電子機器を使用して、逆止弁を省略できるということである。
【０１０４】
さらに、本発明によるポンプが、手動で組み立てられるように提供され得るが、それにもかかわらず、その後にプログラミングに従うことが有利である。したがって、本明細書に説明される、ポンピングの開始、速度の調整、および他のステップ、ならびにさらなるステップおよび機能が、自動的に実行され得る。こうして使用者の作業が軽減される。
【０１０５】
加えて、多くの実施形態では、本発明は、排液バッグを空にするために、処理装置の制御または閉／開ループ制御への介入もポンプの手動始動も必要としない。
【０１０６】
別の利点は、モーションセンサ、ワイヤレスモジュール、および外部デバイスの相互作用によって、室内の処理装置の望ましくない移動を表示させることである。
【０１０７】
以下に、本発明が、付随する図面を参照して単に例示的に説明される。図中、同一の参照番号は、同一または同様の部分を指定する。
【図面の簡単な説明】
【０１０８】
【図１】本発明による医療用処理装置、ここでは例として第１の実施形態における体外血液回路を有する血液処理装置の、簡略化した例示を示す図。
【図２】図１の血液処理装置の排出チューブセットに一体化された本発明によるポンプの簡略化した例示を示す図。
【図３】部分において部分的に例示された第１の実施形態における、本発明によるポンプを共に形成または構築する、ポンプドライブ（上部）およびポンプ部（下部）の簡略化した例示を示す図。
【図４】図３のポンプドライブ（上部）と誘導充電ステーション（下部）の簡略化した例示を示す図。
【詳細な説明】
【０１０９】
図１は、本発明によるチューブセットの一例としての体外血液回路３０００、および排液バッグ４０００を有する本発明による大まかに示された排出チューブセットに接続された、本発明による医療用処理装置の一例としての本発明による血液処理装置１０００の非常に簡略化した例示を示す。排出チューブセットおよび排液バッグ４０００が図２に示される。図１の血液処理装置１０００は、本発明によるポンプ４０５をさらに備えるか、またはそれに接続される。しかしながら、このポンプも、次に続く図のみに示されている。
【０１１０】
体外血液回路３０００は、第１のライン３０１０、ここでは動脈ライン区間を備える。
【０１１１】
第１のライン３０１０は、血液処理デバイス、ここでは例示的に血液フィルタまたは透析器３０３０と流体連通している。血液フィルタ３０３０は、透析液体チャンバ３０３０ａおよび血液チャンバ３０３０ｂを備え、それらは、半透膜３０３０ｃによって互いに分離されている。
【０１１２】
体外血液回路３０００は追加的に、少なくとも第２のライン３０５０、ここでは静脈ライン区間を備える。第１のライン３０１０および第２のライン３０５０の両方は、患者の血管系（図示せず）への接続に役立ち得る。
【０１１３】
第１のライン３０１０は、任意選択で、ライン３０１０を遮断または閉鎖するための（第１の）チューブクランプ３０２０に接続される。第２のライン３０５０は、任意選択で、ライン３０５０を遮断または閉鎖するための（第２の）チューブクランプ３０６０に接続される。
【０１１４】
図１では、そのデバイスのうちのいくつかのみによって概略的に表される血液処理装置１０００は、血液ポンプ１０１０を備える。血液ポンプ１０１０は、患者の治療中に体外回路３０００の部分を通して血液フィルタまたは透析器３０３０に向かって血液を搬送する。これは、図１および図２の各々において概して流れ方向を示す小さい矢印の先端によって示される。
【０１１５】
新しい透析液体は、ローラポンプまたはそうでなければ噛み合いポンプ（occluding pump）として設計され得る透析液体用の血液ポンプ１２１０を使用して、供給源２０００から透析液体入口ライン１０４０に沿って透析液体チャンバ３０３０ａへとポンピングされる。透析液体は、場合によっては濾液によって富化されて、透析液として透析液体チャンバ３０３０ａを出て、保持容器６０００に向かい、本明細書では排液と称される。
【０１１６】
供給源２０００は、例えばバッグまたは容器であり得る。供給源２０００は、オンラインおよび／または連続して生成もしくは混合された液体がそれから供給される流体ライン、例えば血液処理装置１０００の水圧出口／接続部でもあり得る。
【０１１７】
置換液を有するさらなる供給源２０１０が任意選択で設けられ得る。これは、供給源２０００に対応し得るか、または別個の供給源であり得る。
【０１１８】
図１の右下には、排液バッグ４０００を有する排出チューブセットが血液処理装置１０００に接続されているのが示される。
【０１１９】
図１に示される配置は、単に任意選択で、上述の血液ポンプ１０１０に加えて、いずれの場合も任意選択の、一連のさらなるポンプ、すなわち、置換液を搬送して好ましくは任意選択のバッグ加熱装置Ｈ１に通すための置換液用のポンプ１１１０、透析液体用のポンプ１２１０、および排液用のポンプ１３１０をさらに備える。
【０１２０】
ポンプ１２１０は、透析液体を、供給源２０００、例えばバッグから、バッグを有する任意選択で既存のバッグ加熱装置Ｈ２を介して血液フィルタ３０３０に、透析液体入口ライン１０４０を介して供給するために設けられる。
【０１２１】
このようにして搬送された透析液体は、ポンプ１３１０によって支持された透析出口ライン１０２０を介して血液フィルタ３０３０から再び出て、廃棄され得る。
【０１２２】
任意選択の動脈センサＰＳ１が血液ポンプ１０１０の上流に設けられる。これは、患者の治療中に動脈ラインの圧力を測定する。
【０１２３】
血液ポンプ１０１０の下流、ただし血液フィルタ３０３０の上流に、そして設けられている場合にはヘパリン用の添加部位２５の上流に、任意選択のさらなる圧力センサＰＳ２が設けられる。これは血液フィルタ３０３０の上流（「プレヘモフィルタ」）の圧力を測定する。
【０１２４】
さらに、血液フィルタ３０３０のフィルタ圧力を測定するために、血液フィルタ３０３０の下流、ただし好ましくは透析液出口ライン１０２０におけるポンプ１３１０の上流に、さらなる圧力センサがＰＳ４として設けられ得る。
【０１２５】
血液フィルタ３０３０を出る血液は、任意選択の静脈血チャンバ２９を通るか灌流し、当該静脈血チャンバは、通気デバイス３１を備え得、さらなる圧力センサＰＳ３と流体連通し得る。
【０１２６】
血液処理装置１０００を制御または調節するための制御デバイスまたは閉ループデバイス１５００が設けられ得、血液処理装置１０００の上述のすべての構成要素と信号通信および／または制御通信し得る。
【０１２７】
図２は、排液が排液バッグ４０００に送り込まれるときの、本発明による排液バッグ４０００を有する本発明による排出チューブセットの簡略化した例示を示す。
【０１２８】
本明細書では例示的に３方向タップ４０１０として設計されている任意選択の切替えデバイス４０１０が、排液用のポンプ１３１０と排液バッグ４０００との間の透析出口ライン１０２０に、ただし、いずれにしても排液バッグ４０００の上流に配置される。接続ライン４０７０が、切替えデバイス４０１０と排液バッグ４０００との間に設けられ得る。透析液（および／または排液）が、血液フィルタ３０３０を出て透析液出口ライン１０２０を通る。これは、排液バッグ４０００に排液を送り込むので、排液入口ラインとしての役割も同時にする。
【０１２９】
図２に示されるように、３方向タップ４０１０は、図２に示される位置で、透析液出口ライン１０２０を、排液バッグ４０００の排液入口開口部に流体接続しており、当該排液入口開口部は、排液出口開口部でもあるので、短く、排液開口部４０００ａという。
【０１３０】
この第１の位置では、これも３方向タップ４０１０に接続されている排液出口ライン４０３０は遮断または閉鎖される。排液出口ライン４０３０は次に、直接または間接的に保持容器６０００に接続される。
【０１３１】
排液出口ライン４０３０は、チューブセットの一部であり得る。
【０１３２】
図２に示される第１の位置では、透析液出口ライン１０２０からの排液は、３方向タップ４０１０を通って排液バッグ４０００に達し得るが、排液出口ライン４０３０には達しない。３方向タップ４０１０は、その設計により、電気絶縁性材料から作られ得、および／または流体搬送である場所で電気絶縁をもたらし得る。
【０１３３】
本発明によるポンプ４０５は、排液出口ライン４０３０に一体化される。排液出口ラインは、ポンプ４０５の下流で保持容器６０００へと通じる。
【０１３４】
ポンプ４０５は、排液バッグ４０００の下流、ただし保持容器６０００の上流に配置される。
【０１３５】
図３に示されるような少なくとも１つのポンプドライブ１００を備えるポンプ４０５は、図２に示される位置では動作せず（「ＯＦＦ」）、これはポンプ４０５を介して保持容器６０００に廃棄され得る排液が排液出口ライン４０３０に存在しないからである。
【０１３６】
図３は、図２に示された、ポンプハウジング１０１を有するポンプ４０５の本発明による医療用ポンプドライブ１００を、非常に簡略化した例示で示す。ポンプハウジング１０１内には、ポンプモータ１０３、充電式電圧源または充電式バッテリ１０５、ポンプロータ３０１を特に非接触で駆動するための磁性部１０７、バッテリの充電およびポンプドライブ１００の他の機能を制御または調節するための制御デバイスまたは閉ループ電子機器１１１、および誘導によってバッテリ１０５を充電するための誘導充電コイル１１３が収容されている。ポンプハウジング１０１は、１ピースまたはマルチピースであり得る。
【０１３７】
ここでは単に例示的に円筒設計であるポンプハウジング１０１は、その端部または端部部分のうちの１つに（図３ではポンプハウジング１０１の上端に）、任意選択で平坦面を有するベース部１１５を備える。ベース面１１５を使用して、（図３の例示に基づく）ポンプドライブ１００は、いわば逆さまに、図４に示される状態で置かれ得る。明らかな理由のために、誘導充電コイル１１３は、ベース部１１５の比較的近くにあり、任意選択で、ベース部に接触しさえする。
【０１３８】
ポンプハウジング１０１は、図３の上部に示されるポンプハウジング１０１を図３の下部に示されるポンプ部３００と結合する接続部１１７をさらに備える。
【０１３９】
本明細書に示される実施形態およびさらなる実施形態では、接続することは、ポンプロータ３０１のためのポンプモータ１０３を備えるポンプドライブ１００と、ポンプロータ３０１を備えるポンプ部３００とを一緒にすることとして理解されるべきである。したがって、当該接続は、本明細書では、一緒にすることにより、機能ポンプ４０５をもたらすように理解されるべきである。
【０１４０】
当該接続は、いくつかの実施形態、例えば図３および図４に示される実施形態では、ポンプ部３００にポンプハウジング１０１またはポンプドライブ１００を機械的に固定することを包含しない。
【０１４１】
当該接続は、図３または図４の実施形態を含むいくつかの実施形態では、ポンプ部３００にポンプドライブ１００を保持するための機械的デバイス、特に、それらのうちのいくつかが周囲に分散され得るつめ（claw）を包含しない。これらの実施形態は、他の要素、例えば接続を確立するのに役立つことになるつめまたはクランプに受容される、例えば水平なプレートまたは突出部を包含しない。
【０１４２】
図３および図４の例ならびにさらなる任意の実施形態では、ポンプドライブ１００は、重力によってポンプ部３００または誘導充電プラットフォーム６００上に保持され、必要な場合は、ポンプドライブ１００とポンプ部３００との間の磁気引力によって支持される。
【０１４３】
ポンプ部３００に対するポンプドライブ１００の横方向のシフトまたは変位、もしくはその逆は、特に図３に両方向矢印で示されている接続方向の単純な移動によって、ポンプ部３００の突出部３１１が挿入され得る、図３の例にあるような空洞または止まり開口部として、接続部１１７が設計されており、そして例えばレバーを使用して、ポンプドライブ１００をポンプ部３００に対して、これら２つの構成要素を相互に係止するために回転させる等による、締結が先行も後続もしないという点で簡単な様式で防止され得る。代替的または追加的に、シフト防止または変位防止デバイス、例えば、エッジ、インターロック、係合ピン等が設けられ得、これらはそれぞれ、好ましくは、係合されるために使用者の作動および／または操作を必要としない。
【０１４４】
図３の示された断面図に見ることができるように、磁性部１０７は、ポンプハウジング１０１内で接続部１１７の周りに回転可能に取り付けられる。
【０１４５】
図３の断面図にさらに見ることができるように、ポンプロータ３０１は、突出部３１１内に回転可能に取り付けられる。
【０１４６】
ポンプハウジング１０１は、ポンプハウジング１０１の外側から見える少なくとも１つの点灯デバイス１１９をさらに備える。これは、ポンプドライブ１００またはポンプ４０５の使用者に、ポンプドライブ１００またはその構成要素の状態または機能を、光を介してシグナリングするように制御電子機器１１１によって制御され得る。
【０１４７】
点灯デバイス１１９は、特に１つまたはいくつかのＬＥＤを有するリングであり得るか、またはＬＥＤ色付きリングであり得る。
【０１４８】
またこの目的のために、ポンプドライブ１００は、データまたは信号送信のためのワイヤレスモジュールを備え得る。そのような送信は、外部デバイス５００に対して実行され得る。外部デバイス５００のディスプレイ５０１を使用して、ポンプドライブ１００またはポンプ４０５についての情報が使用者に送信され得、例えば、モード、バッテリの充電状態等を示す。
【０１４９】
ポンプドライブ１００は任意選択でさらに、ポンプドライブ１００が移動されたかどうか、または移動されたことを知らせるモーションセンサ１２３を備え得る。そのような移動は、制御電子機器１１１を、第１の状態（例えば低電力またはエネルギー節約スリープモード）から第２の状態（例えば、点灯デバイス１１９が起動されるか、モード間で変更されるか、またはオンにされるアウェイクモード）に切り替えさせ得る。
【０１５０】
ポンプロータ３０１を備えるポンプ部３００は、図１に概略的に例示される血液処理装置１０００または別の医療用処理装置の一部分にポンプ部３００を取り外し可能に固定するためのデバイスを備え得る。
【０１５１】
取り外し可能に固定するためのデバイスは、１ピースまたはマルチピースであるクリップデバイス３０３であり得る。
【０１５２】
ポンプ部３００は、使い捨て品の一部であり得る。
【０１５３】
この使い捨て品は、排液出口ライン４０３０のチューブ部をさらに備え得、そのうち、流体入口３０５および流体出口３０７（それぞれそれらのコネクタ）のみが例示的に示されており、それを用いて、ポンピングされる必要がある液体が、ポンプ部３００のハウジング３０９に流入するか、またはそこから流出する。
【０１５４】
図３は、ポンプドライブ１００およびポンプ部３００をポンプ４０５に接続する直前のそれらを示す。それらがポンプ４０５に接続されると、それらは、接続部１１７がポンプドライブ１００の下端を表し、隆起部３１１がポンプ部３００の上端を表す程度に、ポンプ４０５の使用位置にそれらの向きまたは位置合わせを維持する。一般的に、ポンプドライブ１００は、ポンプ４０５に接続されるためにポンプ部３００に上から置かれるが、その逆はない。ポンプ４０５の使用中でも、ポンプドライブ１００は上にあり、ポンプ部３００は下にある。ポンプ４０５の使用が終了した後、ポンプドライブ１００はポンプ部３００から上方に持ち上げられる。
【０１５５】
以下では、ポンプドライブ１００の典型的な使用が説明される。
【０１５６】
誘導による充電のためのものに限定されず代替的に他の方法を使用し得る、誘導ステーション６００から、ポンプドライブ１００が使用のために取り外されたとき、（任意選択で低電力の）モーションセンサ１２３は、活動を検出し、制御電子機器１１１をアウェイクにする。その結果、バッテリ１０５の充電状態は、任意選択で、点灯デバイス１１９によって、例えば第１の色で示される。
【０１５７】
代替的または追加的に、検出された移動は、例えば、第１の色とは異なる色によって示される。
【０１５８】
ポンプドライブ１００をポンプ部３００上に置くことによってポンプ４０５を組み立てるために、ドライブは約１８０°水平に回転される。
【０１５９】
ポンプドライブの空洞または接続部１１７は、ここでは下向きであり、これに応じて、ポンプロータ３０１を含み、上方に向けられたポンプ部３００の隆起部３１１上に置かれ得る。
【０１６０】
磁性部３０１ａを備えるポンプロータ３０１は、ポンプドライブ１００の影響および近接性がない場合に、通常であればポンプ部３００の内部へと下方に落ちることになるが、ポンプドライブ１００がその鉄電機子（ステータ）のそばに接近するにつれて上方に引っ張られる。使用者は、ポンプドライブ１００がこれに応じて下方に引っ張られることに気付くことができる。形状嵌合部品は、独立して、かつ非常に明確に規定された位置で明らかに一緒になる。それらは、ポンプ４０５が機能可能である動作位置に来る。
【０１６１】
誘導充電ステーション６００から持ち上げられたときのポンプドライブ１００の初期移動によって既にアウェイクにされている制御電子機器１１１は、ハウジングの空洞であり得る接続部１１７に挿入された磁性部３０１ａをモニタリングおよび検出する。この検出は、例えば、任意選択のホールセンサ１２５または他のデバイスによって達成され得、当該検出は、記憶されたプログラムの自動的な開始をもたらし、磁性部３０１ａは、位置制御の起動により浮遊状態になり、磁性部３０１ａは、規定の速度に加速される（アクティブへ駆動）。
【０１６２】
ポンプより上にある排液バッグ４０００に配置された液体は、液体がポンプヘッド内で利用可能であり、大量の液体が直ちに搬送され得ることを確実にする。点灯デバイス１１９、ここではカラーリングは、（例えば青色の）任意選択で回転するカラーリングまたは循環光を用いてポンピングプロセスをシグナリングする。
【０１６３】
本明細書で使用される「カラーリング」は、隣接する一連のＬＥＤなどの、個別の光源または発光体のリングであり得る。
【０１６４】
ポンプ４０５が排液バッグ４０００の液体リザーブから排出または抜いて空にし、空気を吸引するかまたは（例えば吸引ラインが潰れて）陰圧を生成すると、制御電子機器１１１は、駆動／ベアリング電流の変化を検出する。駆動電流は、速度を維持するのに必要な電力に起因する。液体の抵抗が（例えば、気泡、陰圧、密度により）変化した場合、速度を一定に保つことができるように駆動電流が調整されなければならない。このモニタリングは、空のバッグの検出を始めるために使用され、最大速度または事前設定速度が低減される。液体の逆流を防止するのにちょうど十分な速度を選ぶことは有利であり得る。したがって、上方にポンピングされる液体と重力により下方に流れる液体との間にバランスが確立される。この手段によって、例えば逆止弁は冗長である。この遮断機能はまた、点灯デバイスまたはカラーリング１１９からの対応する信号によって（例えば、青色の回転するカラーリング（＝ポンピングプロセス）が、逆止弁の機能を有し得る遮断機能を示す青色の脈動するカラーリングに変化したときに）示され得る。
【０１６５】
ポンピングプロセスの後、ポンプドライブ１００は再び約１８０°回転され、その誘導コイル１１３を下にして誘導充電ステーション６００上に置かれる。充電プロセスは、点灯デバイスまたはカラーリング１１９の任意選択の、例えば時折の光信号によって表示される。バッテリ１０５が例えば１００％まで装填された場合、ポンプドライブ１００およびその制御電子機器１１１は、第１の状態、例えば低電力モードに戻る。
【０１６６】
ワイヤレスインターフェース１２１は、例えばＢｌｕｅｔｏｏｔｈ（登録商標）プロトコルを介して送信するように構成され得る。
【０１６７】
送信は、例えば、血液処理装置の受信機に対して実行され得、そのディスプレイは、対応する通知を行い得るか、または別のルーチンをもたらし得る。送信は、代替的または追加的に、例えばスマートフォンまたは他のハンドヘルドデバイスもしくはモバイルデバイスなどの外部デバイス５００に対して実行され得る。
【０１６８】
ポンプ４０５および／または誘導充電ステーション６００が血液処理装置に直接接続または摩擦接続されている場合、モーションセンサ１２３のデータを、ワイヤレスインターフェース１２１を介して外部デバイス５００に、ひいては使用者に送ることが可能である。結果として、血液処理装置１０００の移動警告は、血液処理装置１０００のデバイス電子機器またはソフトウェアへの介入なしに達成され得る。スケールベースのデバイスの場合、これは、血液処理装置１０００のバランシングシステムが振動によりまたは振動の場合に、対応するエラーカスケードをトリガするので、使用者にとって重要な情報を意味することになる。したがって、使用者は、血液処理装置１０００、例えば透析機械を事前にチェックし、最終的に、振動の原因である容易に修正可能なエラーを適時に排除する可能性を有する。このような原因は、血液処理装置と別のデバイスとの衝突、血液処理装置に当たる脈動チューブ等を含む。ここで特に有利なのは、例えばバランシングスケールが振動により気付かれずに動作を停止するので、好ましくは機械が自動的に動作を始める前に、可能な限り最速の反応を可能にするメッセージが使用者に与えられ得ることである。スケールエラーを評価した後、例えば、そのときこれを認識している使用者によって、バランシングデバイスがスイッチオフされ得る。
【０１６９】
図４は、上部に、わずかに上から見た斜視図で本発明によるポンプドライブ１００の簡略化した例示を示す。図４は、下部に、本発明による誘導充電ステーション６００を示す。
【０１７０】
ポンプドライブ１００のバッテリ１０５を充電するために、バッテリは、誘導コイル１１３（図４には図示せず）が関連付けられたその端部で上方から誘導充電ステーション６００のベース面６０１上に置かれる。ここで、誘導充電ステーション６００またはそのベース面６０１の水平または実質的に水平な配置または向きが必要である。到達した位置では、バッテリは、図４の例ではそれ以上固定も接続もされない。それは、その重量によりベース面６０１上に安定状態を保つ。しかしながら、ホルダまたは締結具が設けられ得る。
【０１７１】
特に図面を参照して行われ、血液処理装置に関連する上述の記載または説明は、血液の処理のための医療装置に限定されるものとして理解されるべきではない。血液を処理しないが、それにもかかわらずポンプを介して医療用流体を搬送する他の医療装置も、上の開示によって完全に包含される。
【符号の説明】
【０１７２】
２５…ヘパリン用の添加部位（任意選択）
２９…静脈血チャンバ
３１…通気デバイス
１００…医療用ポンプドライブ、またポンプドライブ
１０１…ポンプハウジング
１０３…ポンプモータ
１０５…充電式電圧源または充電式バッテリ
１０７…磁性部
１１１…制御電子機器または閉ループ電子機器
１１３…誘導充電コイル
１１５…ベース部または支持部
１１７…接続部
１１９…点灯デバイスまたはカラーリング
１２１…ワイヤレスモジュールまたはワイヤレスインターフェース
１２３…モーションセンサ
１２５…ホールセンサ
３００…ポンプ部
３０１…ポンプロータ
３０１ａ…磁性部
３０３…クリップデバイス
３０５…流体入口
３０７…流体出口
３０９…ハウジング
３１１…突出部
４０５…ポンプ
５００…外部デバイス
５０１…ディスプレイ
６００…誘導充電プラットフォームまたは誘導充電ステーション
６０１…ベース面または支持面
１０００…血液処理装置
１０１０…血液ポンプ
１０２０…透析液出口ライン、排液入口ライン
１０４０…透析液体入口ライン
１１１０…置換液用のポンプ
１２１０…透析液体用のポンプ
１３１０…透析液または排液用のポンプ
１５００…制御デバイスまたは閉ループ制御デバイス
２０００…透析液体を有する供給源
２０１０…置換液を有する供給源（任意選択）
３０００…体外血液回路
３０１０…第１のライン（動脈ライン区間）
３０２０…（第１の）チューブクランプ
３０３０…血液フィルタまたは透析器
３０３０ａ…透析液体チャンバ
３０３０ｂ…血液チャンバ
３０３０ｃ…半透膜
３０５０…第２のライン（静脈ライン区間）
３０６０…（第２の）チューブクランプ
４０００…排液バッグ
４０００ａ…排液入口／出口開口部、排液開口部
４０１０…３方向タップ、切替えユニット
４０３０…排液出口ライン、チューブセット
４０７０…接続ライン
６０００…保持容器またはシンク
Ｈ２…バッグを有するバッグヒータ（透析液体）
Ｈ１…バッグを有するバッグヒータ（置換液）
ＰＳ１、ＰＳ２…動脈圧力センサ（任意選択）
ＰＳ３…静脈圧センサ（任意選択）
ＰＳ４…濾液圧力を測定するための圧力センサ
【図１】
2020534958.tif 000003
【図２】
2020534958.tif 000004
【図３】
2020534958.tif 000005
【図４】
2020534958.tif 000006
【国際調査報告】
2020534958.tif 000007
2020534958.tif 000008
2020534958.tif 000009
2020534958.tif 000010
2020534958.tif 000011